(57)【要約】【課題】撮影映像データの映像信号方式の変更に柔軟に対応可能な装置及び方法を提供する。【解決手段】デジタルインターフェースと、デジタルインターフェースから送信される映像データのフォーマットの変更を検出する検出部とを有する通信装置において、検出部によってフォーマットの変更を検出した場合は（Ｓ３０３）、デジタルインターフェースが非確立の状態となるようにデジタルインターフェースを制御する（Ｓ３０４）。【選択図】図３Ａ
2006202139.tif 000002
【特許請求の範囲】
【請求項１】
デジタルインターフェースと、
前記デジタルインターフェースから送信される映像データのフォーマットの変更を検出する検出手段とを備え、
前記検出手段によってフォーマットの変更を検出した場合は、前記デジタルインターフェースが非確立の状態となるように前記デジタルインターフェースを制御することを特徴とする通信装置。
【請求項２】
前記デジタルインターフェースは、ＩＥＥＥ１３９４規格に準拠したデジタルインターフェースであり、
前記通信装置は、前記デジタルインターフェースに含まれるＴＰＡ及びＴＰＡ＊のバイアスを制御することで、該インターフェースの接続の確立状態、非確立状態を切り替えることを特徴とする請求項１に記載の通信装置。
【請求項３】
前記映像データは、前記通信装置が有する撮像部から入力されたものであることを特徴とする請求項１に記載の通信装置。
【請求項４】
前記検出手段は、撮影データに対して前記通信装置が有するユーザインターフェースからの設定に基づいて送信される映像データのフォーマットの変更を検出することを特徴とする請求項３に記載の通信装置。
【請求項５】
前記検出手段は、前記デジタルインターフェースに接続された制御装置からの制御コマンドによる設定に基づいて送信する映像データのフォーマットの変更を検出することを特徴とする請求項３に記載の通信装置。
【請求項６】
前記検出手段は、前記フォーマットがＮＴＳＣ方式かＰＡＬ方式かを判定することを特徴とする請求項３乃至５のいずれかに記載の通信装置。
【請求項７】
前記検出手段は、映像データ中に含まれるフォーマットを示す情報に基づいて送信される映像データのフォーマットの変更を検出することを特徴とする請求項１に記載の通信装置。
【請求項８】
前記検出手段は、記録媒体から再生された映像データのフォーマットがＮＴＳＣ方式かＰＡＬ方式かを判定することを特徴とする請求項８に記載の通信装置。
【請求項９】
デジタルインターフェースを有する通信装置の制御方法であって、
前記デジタルインターフェースから送信される映像データのフォーマットの変更を検出する検出工程と、
前記検出工程によってフォーマットの変更を検出した場合は、前記デジタルインターフェースが非確立の状態となるように前記デジタルインターフェースを制御する制御工程とを備えることを特徴とする制御方法。
【請求項１０】
前記デジタルインターフェースは、ＩＥＥＥ１３９４規格に準拠したデジタルインターフェースであり、
前記制御工程は、前記デジタルインターフェースに含まれるＴＰＡ及びＴＰＡ＊のバイアスを制御することで、該インターフェースの接続の確立状態、非確立状態を切り替えることを特徴とする請求項９に記載の制御方法。
【請求項１１】
前記映像データは、前記通信装置が有する撮像部から入力されたものであることを特徴とする請求項９に記載の制御方法。
【請求項１２】
前記検出工程は、前記通信装置が有するユーザインターフェースにおける設定に基づいて送信される映像データのフォーマットの変更を検出することを特徴とする請求項１０に記載の制御方法。
【請求項１３】
前記検出工程は、前記デジタルインターフェースに接続された制御装置からの制御コマンドによる設定に基づいて送信する映像データのフォーマットの変更を検出することを特徴とする請求項１０に記載の制御方法。
【請求項１４】
前記検出工程は、前記フォーマットがＮＴＳＣ方式かＰＡＬ方式かを判定することを特徴とする請求項１０乃至１２のいずれかに記載の制御方法。
【請求項１５】
前記検出工程は、映像データ中に含まれるフォーマットを示す情報に基づいて送信される映像データのフォーマットの変更を検出することを特徴とする請求項１０に記載の制御方法。
【請求項１６】
前記検出工程は、記録媒体から再生された映像データのフォーマットがＮＴＳＣ方式かＰＡＬ方式かを判定することを特徴とする請求項１５に記載の制御方法。
【発明の詳細な説明】
【技術分野】
【０００１】
本発明は、異なる映像信号方式の映像データの出力が可能な通信装置等に関する。
【背景技術】
【０００２】
現在のＤＶＣ（デジタルビデオカメラ）には、ＨＤデジタルＶＣＲ協議会（HDDigital VCR Conference）によって提案されているＤＶ方式に準拠するものが知られている。ＤＶ方式には、ＨＤ（High Definition）、ＳＤ（StandardDefinition）及びＳＤＬ（Standard Definition Long）が規定されている。
【０００３】
また、上記のＤＶ方式には、２種類の映像信号方式についての規定がされている。一つはＮＴＳＣ（National Television System Committee）方式であり、もう一つは、ＰＡＬ（PhaseAlternation by Line）方式である。ＮＴＳＣ方式は、水平方向の走査線数が５２５本であり、フレームレートが３０フレーム／秒である映像信号方式である。ＰＡＬ方式は、水平方向の走査線数が６２５本であり、フレームレートが２５フレーム／秒である映像信号方式である。ＤＶ方式によれば、ＮＴＳＣ方式の映像データとＰＡＬ方式の映像データとを同一の磁気テープ上に記録することができる。
【０００４】
また、現在のＤＶＣには、ＩＥＥＥ１３９４規格（IEEE Std 1394-1995、IEEEStd 1394a-2000等を参照）に準拠したシリアルバスに接続可能であり、1394 Trade Associationで規定されたAV/C TapeRecorder/Player Subunit（例えば、非特許文献１（TA Document 2001017, AV/C TapeRecorder/Player Subunit Specification 2.2, December 11, 2001, 1394 TradeAssociation）を参照）に準拠したものもある。このようなＤＶＣでは、ＰＣ（パーソナルコンピュータ）からの制御も、ＰＣでの状態の確認も可能である。
【非特許文献１】TA Document 2001017, AV/C TapeRecorder/Player Subunit Specification 2.2, December 11, 2001, 1394 TradeAssociation
【発明の開示】
【発明が解決しようとする課題】
【０００５】
しかしながら、上記の従来技術にはいくつかの課題がある。例えば、ＰＣがＤＶＣから出力された映像データの映像信号方式の変化に適切に対応することができないという課題がある。
【０００６】
ＰＣは、ＤＶＣから出力されたＮＴＳＣ方式の映像データを入力する場合はＮＴＳＣ方式用のデコーダを選択する必要があり、ＤＶＣから出力されたＰＡＬ方式の映像データを入力する場合はＰＡＬ方式用のデコーダを選択する必要がある。ところが、ＰＣがＮＴＳＣ方式のデコーダを選択しているにもかかわらず、ＤＶＣからＰＡＬ方式の映像データが出力されてしまった場合、ＰＣはＮＴＳＣ用のデコーダを用いてＰＡＬ方式の映像データをデコードしてしまうため、正常に表示されないなどの不具合が発生する可能性がある。ＰＡＬ方式用のデコーダを選択しているときにＤＶＣからＮＴＳＣ方式の映像データが出力されてしまった場合にも、同様の不具合が発生する可能性がある。
【０００７】
本発明は、上記の欠点を解決することを目的とする。例えば、本発明は、撮影映像データ又は再生映像データの映像信号方式の変更に柔軟に対応可能な装置及び方法を提供することを目的とする。
【課題を解決するための手段】
【０００８】
上記の目的を達成するための本発明の一態様による撮像装置は以下の構成を備える。すなわち、
デジタルインターフェースと、
前記デジタルインターフェースから送信される映像データのフォーマットの変更を検出する検出手段とを備え、
前記検出手段によってフォーマットの変更を検出した場合は、前記デジタルインターフェースが非確立の状態となるように前記デジタルインターフェースを制御する。
【発明の効果】
【０００９】
本発明の通信装置によれば、送信側の出力映像信号方式が変更した場合でも、受信側が柔軟に適応するデコーダを選択し、受信側で正常に表示することが可能となる。
【発明を実施するための最良の形態】
【００１０】
以下、添付の図面を参照して本発明の好適な実施形態を説明する。
【００１１】
＜第１実施形態＞
図１は、第１実施形態における映像処理システムの構成を示す図である。
【００１２】
図１において、１０１は映像処理装置の一例であるＤＶＣ（デジタルビデオカメラ）、１０２はＩＥＥＥ１３９４規格に準拠したシリアルバスであるＩＥＥＥ１３９４シリアルバス、１０３は制御装置の一例であるＰＣ（パーソナルコンピュータ）である。本実施形態におけるＤＶＣ１０１は、ＮＴＳＣ方式又はＰＡＬ方式の映像データをＤＶ方式に従ってエンコードし、エンコーダされた映像データを記録媒体に記録することができる。また、ＤＶＣ１０１は、エンコーダされた映像データを磁気テープ等の記録媒体に記録することができる。
【００１３】
１０４はＤＶＣ１０１の撮影機能、記録機能、再生機能、ＤＶＣ１０１が有する表示器に表示されたメニュー画面等を操作するためユーザインターフェースである。本実施形態では、ユーザインターフェース１０４を用いて、ＤＶＣ１０１が撮影する映像の映像信号方式を変更できるように構成する。１０５はＣＣＤ、ＣＭＯＳセンサなどの撮像素子を用いて映像を撮影し、撮影した映像の映像データを生成する撮像部である。ＤＶＣ１０１に設定されている映像信号方式がＮＴＳＣ方式である場合、撮像部１０５は、ＮＴＳＣ方式の映像データを生成する。ＤＶＣ１０１に設定されている映像信号方式がＰＡＬ方式である場合、撮像部１０５は、ＰＡＬ方式の映像データを生成する。
【００１４】
１０６はＤＶＣ１０１をリモートコントロールするためのアプリケーションソフトウェアであるＤＶコントローラ、１０７はＮＴＳＣ方式用のデコードプログラムであるＮＴＳＣデコーダ、１０８はＰＡＬ方式用のデコードプログラムであるＰＡＬデコーダである。ＮＴＳＣデコーダ１０７では、ＮＴＳＣ方式の映像データを処理することができ、ＰＡＬデコーダ１０８では、ＰＡＬ方式の映像データを処理することができる。１０９は、ＰＣ１０３のディスプレイである。なお、ＤＶコントローラ１０６、ＮＴＳＣデコーダ１０７及びＰＡＬデコーダ１０８は、ＰＣ１０３に予めインストールされているものとする。ＰＣ１０３は、ＤＶコントローラ１０６を用いてＤＶＣ１０１をリモートコントロールし、ＮＴＳＣデコーダ１０７及びＰＡＬデコーダ１０８を用いて、ＤＶＣ１０１から出力されたＮＴＳＣ方式の映像データ又はＰＡＬ方式の映像データをディスプレイ１０９に表示する。また、ＤＶＣ１０１は、上記のAV/C Tape Recorder/Player Subunitに準拠したものである。
【００１５】
図２は、ＤＶＣ１０１の構成要素の一部を示す図である。２０１はＣＰＵ（CentralProcessing Unit）と、ＣＰＵでの実行が可能なプログラム（ＤＶＣ１０１を制御するためのプログラム、およびＰＣ１０３からの制御コマンドを処理するプログラムを含む）を記憶したメモリとを有する制御部である。制御部２０１内のメモリには、ＤＶＣ１０１に設定されている映像信号方式を示すデータが記憶されている。このデータは、ユーザからの指示に従って制御部２０１が変更する。
【００１６】
２０２は制御部２０１から供給されたＮＴＳＣ方式の映像データをＤＶ方式に従ってエンコードするＮＴＳＣ映像処理部である。２０３は制御部２０１から供給されたＰＡＬ方式の映像データをＤＶ方式に従ってエンコードするＰＡＬ映像処理部である。２０４はＩＥＥＥ１３９４規格に準拠したデジタルインターフェースであるＩＥＥＥ１３９４インターフェースである。ＩＥＥＥ１３９４インターフェース２０４は、ＮＴＳＣ映像処理部２０２又はＰＡＬ映像処理部２０３から供給された映像データをアイソクロナスパケットにパケッタイズして出力する。このとき、ＩＥＥＥ１３９４インターフェース２０４で生成されるアイソクロナスパケットは、IEC 61883-1、IEC 61883-2等に準拠するものとする。  本実施形態において、図１のようにＩＥＥＥ１３９４シリアルバス１０２を介してＰＣ１０３に接続されたＤＶＣ１０１は、撮像部１０５から入力された映像データをＩＥＥＥ１３９４端子からアイソクロナスデータとして出力する。
【００１７】
第１実施形態では、ＤＶＣ１０１が撮像部１０５から入力した映像データをＰＣ１０３に出力しており、その途中で映像信号方式が変更された場合におけるＤＶＣ１０１及びＰＣ１０３の処理の流れについて説明する。図３Ａは、ＤＶＣ１０１の処理手順を説明するフローチャートである。また、図３Ｂは、ＰＣ１０３の処理手順を説明するフローチャートである。なお、ＤＶＣ１０１で実行される処理は制御部２０１によって制御されるものであり、ＰＣ１０３で実行される処理はＤＶコントローラ１０６によって制御されるものである。
【００１８】
まず、図３Ｂを参照して、ＰＣ１０３の動作を説明する。ＰＣ１０３はＩＥＥＥ１３９４インターフェースの電気的接続が確立すると、接続されたデバイスに関するデバイス情報等の収集を行なう（不図示）。ＤＶＣ１０１がＰＣ１０３に接続されたとき、ＰＣ１０３は、図４に示すようなAV/C Tape Recorder/Player Subunit規格に規定されているOUTPUT SIGNAL MODEステータスコマンドを用いて、ＤＶＣ１０１が送信又は出力する再生映像データの映像信号方式を照会し、取得する（ステップＳ３２１、Ｓ３２２）。そして、ＰＣ１０３は、取得した出力映像信号方式に適応するデコーダ（ＮＴＳＣデコーダ１０７又はＰＡＬデコーダ１０８）を選択し、ドライバをロードする（ステップＳ３２３）。
【００１９】
その後、ＰＣ１０３は、ＤＶＣ１０１との間の接続状態が非確立状態となったかどうかを監視し、非確立状態となったならばステップＳ３２３でロードしたドライバをアンロードする（ステップＳ３２４、Ｓ３２５）。そして、ステップＳ３２１に戻り、ＰＣ１０３はＰＣ１０３とＤＶＣ１０１との間の接続が確立状態となるのを待つ。そして、確立状態となった場合、ＰＣ１０３は上記ステップＳ３２２、Ｓ３２３を実行して、新たに適応するデコーダを選択してドライバをロードする。
【００２０】
次に、図３Ａを参照して、ＤＶＣ１０１の動作について説明する。ＤＶＣ１０１では、電源が投入された後、ＰＣ１０３との間にＩＥＥＥ１３９４インターフェース９０４の接続状態が確立する。ＰＣ１０３より出力映像信号方式の照会（ステップＳ３２２）があると、ＤＶＣ１０１は予め設定されているデフォルトの出力映像信号方式を返す（ステップＳ３０１、Ｓ３０２）。なお、本実施形態では、出力映像信号方式のデフォルトとして、ＮＴＳＣ方式を通知するものとする。
【００２１】
本実施形態では、ＤＶＣ１０１から出力される映像データの映像信号方式は、メニュー画面などのユーザインターフェース１０４からユーザによって入力された命令によって切り替えることが可能であり、制御部２０１はＮＴＳＣ方式を選択された場合は撮像部１０５から入力された映像データをＮＴＳＣ映像処理部２０２に渡す。一方、制御部２０１はＰＡＬ方式を選択された場合は撮像部１０５から入力された映像データをＰＡＬ映像処理部２０３に渡す。ここでユーザがメニュー画面などによって映像信号方式をＮＴＳＣ方式からＰＡＬ方式に変更した場合は、ステップＳ３０３にて制御部２０１がその旨を検出する。映像信号方式の変換が検出されるとステップＳ３０３からステップＳ３０４へ進み、ＩＥＥＥ１３９４インターフェース２０４のＴＰＡ、ＴＰＡ＊バイアスをＯＦＦにする。
【００２２】
図５は、本実施形態のＤＶＣ１０１が有するＩＥＥＥ１３９４インターフェース２０４のＴＰＡ５０１、ＴＰＡ＊５０２が、ＰＣ１０３が有するＩＥＥＥ１３９４インターフェースのＴＰＢ５１１、ＴＰＢ＊５１２に接続されている状態を示したものである。ＩＥＥＥ１３９４規格では、ＴＰＡ５０１、ＴＰＡ＊５０２にバイアスを付加するとＰＣ１０３側のＴＰＢ５１１、ＴＰＢ＊５１２に接続されたコンパレータ５１３によってバイアスが検出され、デバイスの接続が検出される。従って、ＩＥＥＥ１３９４規格に準拠した機器であれば、このＴＰＡ５０１、ＴＰＡ＊５０２のバイアスをＯＦＦにする、すなわち端子５０３への入力電圧を０ＶにすることによってＤＶＣ１０１は接続されていない状態、もしくはサスペンド、ディスエーブルの状態、即ち接続が非確立の状態となる。これにより、ＰＣ１０３は、ＩＥＥＥ１３９４インターフェースによるＤＶＣ１０１との接続が切れたと認識し、ロードしていたドライバをアンロードする（ステップＳ３２４、Ｓ３２５）。このように、ＤＶＣ１０１がＴＰＡ５０１及びＴＰＡ＊５０２に印加されるバイアスをＯＦＦにすると、ＰＣ１０３は、ＤＶＣ１０１がＰＣ１０３から切り離されたことを知り、ロード済みのドライバをアンロードする。
【００２３】
説明を図３Ａに戻す。ＤＶＣ１０１では、ステップＳ３０５において、再びＩＥＥＥ１３９４インターフェース５０４のＴＰＡ５０１、ＴＰＡ＊５０２にバイアスを印加、すなわち端子５０３から規定の電圧を入力する。つまり、ＤＶＣ１０１とＰＣ１０３との間の接続を再び確立状態にする、これにより、ＰＣ１０３は、ＤＶＣ１０１がＰＣ１０３から接続されたことを知ることができる。なお、ステップＳ５０４とＳ５０５によって接続が非確立状態となっている時間は、ＰＣ１０３によるドライバのアンロードが完了するのに必要な時間が確保されているものとする。ＤＶＣ１０１が電気的に接続されたことを認識した後、ＰＣ１０３は出力映像信号方式の問い合わせをＤＶＣ１０１に対して行う（ステップＳ３２１、Ｓ３２２）。例えば、図４に示すようなOUTPUT SIGNAL MODEステータスコマンドをＤＶＣ１０１に対して送る。
【００２４】
ＤＶＣ１０１では、処理をステップＳ３０６に進め、出力映像信号方式の照会を待つ。上記のようにＰＣ１０３から出力映像信号方式の照会があると、ステップＳ３０７で出力映像信号方式をＰＣ１０３に通知する。このように、ステップＳ３０７において、ＤＶＣ１０１は、撮像部１０５から入力している映像データの出力映像信号方式をＰＣ１０３に通知する。これにより、ＰＣ１０３は、ＰＡＬ方式の映像データをキャプチャするためにＰＡＬデコーダ１０８を選択してドライバをロードすることができる（ステップＳ３２３）。
【００２５】
なお、本実施形態では出力映像信号方式の問い合わせを行うコマンドの一例としてOUTPUTSIGNAL MODEステータスコマンドを用いたが、この限りではない。また、本実施形態では、ＴＰＡ５０１及びＴＰＡ＊５０２に印加するバイアスを制御することによりＤＶＣ１０１とＰＣ１０３との間の接続を非確立状態又は確立状態にしたが、他の方法で制御してもよい。例えば、スイッチングトランジスタを利用して信号線をハイインピーダンス状態に切り替えることにより、非確立状態へ移行するようにすることも可能であろう。
【００２６】
なお、本実施形態では、ＩＥＥＥ１３９４インターフェース２０４から出力される映像データの入力元を撮像部１０５としたが、この限りではない。例えば、ＤＶＣ１０１に装着されている記録媒体（例えば、磁気テープ）を入力元にしてもよい。この場合、制御部２０１は、映像データとともに再生された付属データを用いてその映像データの映像信号方式を判定し、その映像データをＮＴＳＣ映像処理部２０２又はＰＡＬ映像処理部２０３に供給するように構成すればよい。そして、制御部２０１が再生映像データの映像信号方式がＮＴＳＣ方式からＰＡＬ方式又はＰＡＬ方式からＮＴＳＣ方式に変化したことを検出した場合、制御部２０１はＴＰＡ５０１及びＴＰＡ＊５０２に印加されるバイアスを制御し、ＤＶＣ１０１とＰＣ１０３との間の接続を非確立状態にする。そして、所定時間が経過した後、制御部２０１はＤＶＣ１０１とＰＣ１０３との間の接続を再度確立状態にする。
【００２７】
このように、第１実施形態におけるＤＶＣ１０１によれば、出力映像データの映像信号方式の変更が検出された場合は、ＴＰＡ５０１及びＴＰＡ＊５０２に印加されるバイアスを所定時間ＯＦＦにし、ＤＶＣ１０１とＰＣ１０３との接続を一時的に開放する。これにより、ＰＣ１０３による映像データの処理が初期化され、変更後の映像信号方式に適したデコーダを選択してドライバをＰＣ１０３にロードさせることができる。従って、ＰＣ１０３は自動的に変更後の映像信号方式に対応できることになる。
【００２８】
＜第２実施形態＞
第１実施形態では、ＤＶＣ１０１に設定されている映像信号方式をＤＶＣ１０１自身が持つユーザインターフェース１０４を介して行う場合を説明したが、ＤＶＣ１０１に設定されている映像信号方式はＰＣ１０３からの指示によって行うことも可能である。ＤＶＣ１０１に設定されている映像信号方式は、例えば、AV/C Tape Recorder/Player Subunit規格で規定されたOUTPUT SIGNAL MODEコントロールコマンド（図６参照）を用いて変更することができる。つまり、ＤＶＣ１０１の映像信号方式を変更したい場合、ＰＣ１０３はOUTPUTSIGNAL MODEコントロールコマンドをＤＶＣ１０１に送信する。ＰＣ１０３からのOUTPUT SIGNAL MODEコントロールコマンドを受信したＤＶＣ１０１は、ＤＶＣ１０１に設定されている映像信号方式をそのコマンドが指定する映像信号方式（ＮＴＳＣ又はＰＡＬ）に変更する。
【００２９】
OUTPUT SIGNAL MODEコントロールコマンドを用いてＤＶＣ１０１の映像信号方式をＮＴＳＣ方式又はＰＡＬ方式に変更した場合、ＰＣ１０３はＰＣ１０３自身がＤＶＣ１０１に設定した映像信号方式に対応するドライバーを選択し、ロードすればよい。よって、第２実施形態では、ＰＣ１０３が持つユーザインターフェースを介してＤＶＣ１０１から出力される映像データの映像信号方式を設定した時も、出力映像信号方式が変化した時とみなす。
【００３０】
第２実施形態におけるＤＶＣ１０１の処理手順は、第１実施形態で説明したフローチャート（図３Ａ）とほぼ同じであり、ステップＳ３０３の処理が異なる。本実施形態では、第１の実施形態と異なる点についてのみ説明する。
【００３１】
ステップＳ３０３において、ＰＣ１０３からのOUTPUT SIGNAL MODEコントロールコマンドによって出力映像信号方式が変更された場合は、上述したようにＰＣ１０３自身が出力映像信号方式の変化を認識できる。この場合、ＰＣ１０３は適切なデコーダを選択することができるので、ＤＶＣ１０１はステップＳ３０４からＳ３０７までの処理を実行せずに、ステップＳ３０１にスキップする。ＰＣ１０３は、OUTPUTSIGNAL MODEコントロールコマンドによってＤＶＣ１０１に出力映像信号方式の変更を指示した後、ステータスコマンドによる出力映像信号方式の取得（Ｓ３２２と同様の処理）を実行する。
【００３２】
以上の動作により、ＰＣ１０３は、OUTPUT SIGNAL MODEコントロールコマンドによって変更後の映像信号方式に適応するデコーダを選択することができる。
【００３３】
以上説明したように、上記各実施形態によれば、ＤＶＣ１０１から出力される映像データの映像信号方式の変更（例えばＮＴＳＣとＰＡＬの間の変更）に応じて、ＰＣ１０３のデコーダを適切に切り替えることが可能となる。
【図面の簡単な説明】
【００３４】
【図１】第１乃至第２実施形態に係る映像処理システムの構成を示す図である。
【図２】第１乃至第２実施形態に係るデジタルビデオカメラの構成を示すブロック図である。
【図３Ａ】第１乃至第２実施形態に係るデジタルビデオカメラの処理手順を説明するフローチャートである。
【図３Ｂ】第１乃至第２実施形態に係るパーソナルコンピュータの処理手順を説明するフローチャートである。
【図４】OUTPUT SIGNAL MODEステータスコマンドを示す図である。
【図５】ＩＥＥＥ１３９４インターフェースの電気的接続を示す図である。
【図６】OUTPUT SIGNAL MODEコントロールコマンドを示す図である。
【符号の説明】
【００３５】
１０１  ＤＶＣ
１０２  ＩＥＥＥ１３９４ケーブル
１０３  ＰＣ
１０４  ユーザインターフェース
１０５  撮像部
１０６  ＤＶコントローラ
１０７  ＮＴＳＣデコーダ
１０８  ＰＡＬデコーダ
１０９  ディスプレイ
２０１  制御部
２０２  ＮＴＳＣ映像処理部
２０３  ＰＡＬ映像処理部
２０４  ＩＥＥＥ１３９４インターフェース
【図１】
2006202139.tif 000003
【図２】
2006202139.tif 000004
【図３Ａ】
2006202139.tif 000005
【図３Ｂ】
2006202139.tif 000006
【図４】
2006202139.tif 000007
【図５】
2006202139.tif 000008
【図６】
2006202139.tif 000009